(57)【要約】【課題】陳列物支持部材の撓み変形を防止し、商品を安定支持可能にする。【解決手段】垂直片４ａとこの垂直片４ａの上方に傾斜片４ｂを一体に有する略Ｌ字状の係止板４と、傾斜片４ｂに上方向に突出するように設けられたフック部５と、垂直片４ａに連設された陳列物支持部材２と、垂直片４ａをガイドする垂直面を持つパネル壁７、８に設けられて、垂直面４ａの外に開口部１０が臨む水平レール９とを有し、水平レール９内に設けたフック保持部１１に、開口部１０から挿入されたフック部５を保持させる。【選択図】　　　図１
2004057325.tif 000002
【特許請求の範囲】
【請求項１】
垂直片とこの垂直片の上方に傾斜片を一体に有する略Ｌ字状の係止板と、前記傾斜片端に上方向に突出するように設けられたフック部と、前記垂直片に連設された陳列物支持部材と、前記垂直片をガイドする垂直面を持つパネル壁に設けられて、前記垂直面の外に開口部が臨む水平レールと、該水平レール内に設けられて前記開口部から挿入される前記傾斜片端のフック部を保持するフック保持部とを備えたことを特徴とする商品陳列装置。
【請求項２】
基部に所定幅のガイド片が設けられた陳列物支持部材と、一端に係止片を持ち、かつ前記ガイド片を摺動自在に支持する保持具と、前記係止片先端に連設されたフック部と、垂直面を持つパネル壁に設けられて、その垂直面の外に開口部が臨む垂直レールと、該垂直レール内に設けられて、前記開口部から前記ガイド片の先端部とともに密に挿入される前記係止片のフック部を保持するフック保持部とを備えたことを特徴とする商品陳列装置。
【請求項３】
前記フック部には前記開口部側に延びる一対の嵌合突起が一体に設けられ、前記フック保持部には前記嵌合突起に嵌合する嵌合凹部が連設されていることを特徴とする請求項１または請求項２に記載の商品陳列装置。
【請求項４】
前記パネル壁が背中合わせに二組用意され、各組の前記パネル壁が連結部材を介して連結されていることを特徴とする請求項１または請求項２に記載の商品陳列装置。
【請求項５】
前記陳列支持部材が棚板支持用のブラケットであることを特徴とする請求項１または請求項２に記載の商品陳列装置。
【請求項６】
前記陳列支持部材が陳列用ハンガーであることを特徴とする請求項１または請求項２に記載の商品陳列装置。
【発明の詳細な説明】
【０００１】
【発明の属する技術分野】
本発明は、例えば組立式のパネル壁を利用して壁面に商品を陳列するための商品陳列装置に関する。
【０００２】
【従来の技術】
デパートや商店で売り出し商品などを展示するのに、顧客が歩く通路などに沿って商品陳列棚が配置される場合がある。この商品陳列棚による商品（陳列物）の展示タイプとして壁掛けタイプと棚置きタイプがある。これらのうち壁掛けタイプの商品陳列棚では、商品支持部材としてパネル壁上のレールや係止孔などに陳列用ハンガーを係止させており、一方、棚置きタイプの商品陳列棚では商品支持部材としてパネル壁上のレールや係止孔などに棚板支持用のブラケットを係止させている。
【０００３】
また、商品陳列棚の組立易さおよびコストの点から、前記商品支持部材として鉄板などの金属板をプレスにより打抜き加工したものが広く用いられており、その金属板は、陳列する商品の種類に応じた所定の厚みまたは強度に形成されている。
【０００４】
【発明が解決しようとする課題】
しかしながら、このような金属板からなる商品支持部材を持った商品陳列棚にあっては、レールや係止孔に各一枚の板状の陳列用ハンガーやブラケットを一端で係止させる構成となっているため、これらの支持状態が常に不安定であり、レールや係止孔における係止部で前記陳列用ハンガーやブラケットが、重量の大きい商品の荷重を受けて、あるいは人為的な取り扱い作業中に衝撃を受けるなどして簡単に撓み変形し、レールや係止孔から自然に脱落してしまうという問題があった。
【０００５】
本発明は前記のような問題を解決するものであり、陳列用ハンガーや棚板支持用のブラケットなどの陳列物支持部材としての商品支持部材の撓み変形を防止しながら、商品を安定的に陳列できる商品陳列装置を得ることを目的とする。
【０００６】
【課題を解決するための手段】
前記目的達成のために、請求項１の発明にかかる商品陳列装置は、垂直片とこの垂直片の上方に傾斜片を一体に有する略Ｌ字状の係止板と、前記傾斜片の上端に上方向に突出するように設けられたフック部と、前記垂直片に連設された陳列物支持部材と、前記垂直片をガイドする垂直面を持つパネル壁に設けられて、前記垂直面の外に開口部が臨む水平レールとを有し、該水平レール内に設けたフック保持部に、前記開口部から挿入される前記傾斜片上端のフック部を保持させるようにしたことを特徴とする。
【０００７】
これにより、前記係止板の傾斜片およびフック部が水平レールの開口部およびフック保持部内にそれぞれ係止されているとき、陳列物支持部材に重量商品の荷重が掛かっても、あるいは何らかの人為的荷重が掛かっても、係止板自体の撓み変形や不安定な動きを阻止でき、商品などの陳列品を陳列物支持部材に安定に支持または載置できる。
【０００８】
また、請求項２の発明にかかる商品陳列装置は、基部に所定幅のガイド片が設けられた陳列物支持部材と、一端に係止片を持ち、かつ前記ガイド片を摺動自在に支持する保持具と、前記係止片先端に連設されたフック部と、垂直面を持つパネル壁に設けられて、その垂直面の外に開口部が臨む垂直レールとを有し、該垂直レール内に設けられたフック保持部に、前記開口部から前記ガイド片の先端部とともに密に挿入される前記係止片のフック部を保持させるようにしたことを特徴とする。
【０００９】
これにより、ブラケットなどの陳列物支持部材を垂直レールの開口部に対し容易に着脱できるとともに、装着した際には垂直レールに対し陳列物支持部材を水平および垂直方向にガタなく安定に支持でき、従って陳列支持部材の変形や垂直レールからのフリーな脱落を確実に防止できる。
【００１０】
また、請求項３の発明にかかる商品陳列装置は、前記フック部の両端に前記開口部側に延びる嵌合突起を一体に設け、前記フック保持部に前記嵌合突起に嵌合する嵌合凹部を連設したことを特徴とする。これにより、左右一対の突起がそれぞれの嵌合凹部内に嵌まり込むため、水平レールに対する前記係止板の保持をさらに十分に安定化することができる。
【００１１】
また、請求項４の発明にかかる商品陳列装置は、前記パネル壁を背中合わせに二組用意して、各組の前記パネル壁を連結部材を介して連結したことを特徴とする。これにより、二組のパネル壁から陳列物支持部材をそれぞれ突出させて、左右の通路に向って陳列品の展示を同時に行うことができる。
【００１２】
また、請求項５の発明にかかる商品陳列装置は、前記陳列支持部材を棚板支持用のブラケットとしたことを特徴とする。これにより、棚板支持用ブラケット上に棚板を載せて、その上に陳列品を展示できる。
【００１３】
また、請求項６の発明にかかる商品陳列装置は、前記陳列支持部材を陳列用ハンガーとしたことを特徴とする。これにより、陳列用ハンガーに陳列品を紐などで吊り下げて展示できる。
【００１４】
【発明の実施の形態】
以下に、本発明の実施の形態を図について説明する。図１は本発明の商品陳列装置を一部破断して示す側面図である。同図において、１は陳列物支持部材としての棚板支持用のブラケットで、全体としてＬ字状をなし例えば５ミリの厚みを有する。また、このブラケット１の上面が図示しないガラス板などの棚板を支持する棚板支持面２となっている。また、このブラケット１端の棚板支持面２上には、棚板が位置ずれして落下するのを防止する突起３が突設されている。このブラケット１は金属板や合成樹脂などの板材により成形されている。
【００１５】
また、ブラケット１基部の垂直端面には所定幅例えば３０ミリの幅の係止板４がその中央部に衝き当てられるようにして溶接され、またはブラケット１とともに前記同様の形態で係止板４がモールド成形されている。この係止板４は垂直片４ａと、この垂直片４ａの上方に一体連設された傾斜片４ｂとを有し、全体として倒立型の略Ｌ字状をなす。
【００１６】
さらに、前記傾斜片４ｂの上端には、上方へ鉤状に突出するフック部５が一体連設されており、このフック部５の両端部には丸味をおびた嵌合突起６がブラケット１側に向って連設されている。これらのフック部５および嵌合突起６を図３の平面図に示す。
【００１７】
また、図１において、７、８はデパートの売場などに設置される組立式の上下二枚のパネル壁である。これらのパネル壁７、８は例えば１３ミリ厚の金属板や合成樹脂板あるいは木板などからなり、以下に述べる水平レールを介して垂直方向に重なるように二枚以上が積み上げられてい用いられる。
【００１８】
また、これらのパネル壁７、８間には前記水平レール９の開口部１０がパネル壁７、８の前面方向（図１において右方向）に向って開いている。また、この水平レール９内の底部（図上左端部）には、開口部１０から挿入された傾斜片４ｂ上端のフック部５の係合縁５ａに嵌合するフック保持部１１が、図４に示すように形成されている。
【００１９】
さらに、このフック保持部１１には、前記二つの嵌合突起６を嵌合するための嵌合凹部１２が前記開口部１０に向って連設されている。なお、開口部１０の上下方向の開口幅は、前記傾斜部４ｂおよびフック部５の出入が可能な大きさに形成されている。また、垂直片４ａの下部には、これとパネル壁８との間に生じる隙間によって垂直片４ａが傾くのを防止する傾斜防止部材１３が一体または別部材により突設されている。
【００２０】
このような構成の商品陳列装置では、図１に示すような係止板４と水平レール９との嵌合によって、垂直片４ａがパネル壁８の前面に沿うように当接され、従って、ブラケット１は棚板支持面２が略水平となるようにそのパネル壁７、８間に支持される。このため、この棚板支持面２上に棚板は水平に支持され、その棚板上の商品が安定的に支持および展示される。
【００２１】
また、前記係止板４の水平レール９による支持は前記幅寸法を持つ係止板４端にあるフック部５が、水平レール９内にあるフック保持部１１内に大きな接触面で嵌合することによって行われる。このため、ブラケット１に商品の大きな荷重が掛かったり、人為的に大きな荷重が加えられても、係止板４の傾斜部４ｂには撓み変形を生じることがない。従って、ブラケット１は係止板４によって安定に保持され、棚板が上下に傾いたり左右にぐらついたりすることはなく、また、棚板から商品が落下する心配もない。
【００２２】
次に、図１に示す嵌合状態にあるブラケット２付きの係止板４を、水平レール９から取り外す場合を説明する。まず、棚板とともに棚板上の商品を降ろし、続いてブラケット１の先端（各端）を手で上方へ所定量持ち上げる。これにより、係止板４の傾斜部４ｂが開口部１０の内面に対し平行になるとともに、フック部５が水平レール９内のフック保持部１１から離脱する。そこで、この離脱状態にてブラケット２を右方へ引き出すことにより、ブラケット１を水平レール９から簡単かつ迅速に分離することができる。
【００２３】
一方、ブラケット１をパネル壁７、８に取り付けるため、係止板４を水平レール９に保持させる場合には、係止板４の前記取り外し操作の逆の作業を行う。すなわち、まず、ブラケット１の先端（右端）を上方に高くして、略水平状態となった係止板４の傾斜片４ｂを、フック部５側から開口部１０内に挿入する。そして、フック部５の先端が水平レール９内の底部に当ったとき、ブラケット１の先端を手を離して下降させる。
【００２４】
これにより、フック部５は水平レール９のフック保持部１１内に嵌合するとともに、フック部５両端の嵌合突起６が嵌合凹部１２内に自動的に嵌まり込む。従って、傾斜片４ｂ（垂直部４ａとの接続部）が前記開口部１０の開口縁に支持された状態にて、垂直片４ａがパネル壁８に沿うように垂下されて、図１に示す状態に安定支持される。
【００２５】
なお、前記実施の形態ではパネル壁７、８の片側にのみ突出するようにブラケット１を取り付けた場合を示したが、図５に示すように、連結部材１４、１７を介してパネル壁７ａ、８ａおよび７ｂ、８ｂを背中合わせに連結することによって、ブラケット（図示しない）を左右方向に突設させることができる。この場合には、各パネル壁７ａ、８ａ間に水平レール９ａが介装され、パネル壁７ｂ、８ｂ間に水平レール９ｂが介装される。
【００２６】
そして、背中合わせで対向するパネル壁７ａ、７ｂおよび水平レール９ａ、９ｂの各背面には、これらに沿うように、略Ｃ字形チャンネル部材からなる連結部材１４がねじ１５、１６により固定されている。一方、対向するパネル壁８ａ、８ｂおよび水平レール９ａ、９ｂの各背面には、これらに沿うように、別の略Ｃ字形チャンネル部材からなる連結部材１７がねじ１５、１６により固定されている。
【００２７】
この実施の形態によれば、各水平レールに係止板４を介して支持された左右のブラケット上に棚板を載置して、左右両方向に商品の展示を行うことができる。なお、前記各水平レール９ａ、９ｂに対するブラケット１付きの係止板４の取り付け取り外しは、前記同様にして実施できる。
【００２８】
図６は図１に示す棚板支持用のブラケット１に代えて用いられる陳列用ハンガーを示す。この陳列用ハンガーは、図１に示したものと同様の係止板４の垂直片４ａに対して、陳列物支持部材としての円形断面の吊り棒１８を水平保持したものである。この吊り棒１８は一端が垂直片４ａにねじ１９によって固定され、他端には、小径部１８ａとこれに連続する大径のフランジ部１８ｂが設けられている。
【００２９】
この陳列用ハンガーは、吊り棒１８に商品の一部を掛けて展示するように用いられ、小径部１８ａおよびフランジ部１８ｂが商品の吊り紐などが抜け落ちるのを阻止する。なお、この陳列用ハンガーの前記水平レール９への取り付けおよび取り外しは、前記ブラケット１の取り付けおよび取り外しと全く同様にして行える。
【００３０】
図７は本発明の商品陳列装置の他の形態を一部切断して示す平面図である。同図において、２１は陳列物支持部材としての棚板支持用のブラケットで、全体として例えば５ミリ厚の略Ｌ字状の板体からなり、このブラケット２１の基部には一部を切り欠いて形成した所定幅のガイド片２２が突設されている。このガイド片２２の中央部にはブラケット２１の長手方向に延びるガイド長孔２３が設けられ、また、後述の保持具と摺接する側、図８では、ガイド片２２の裏側に嵌合切欠２４が設けられている。
【００３１】
前記ブラケット２１の基部には前記ガイド片２２を保持する保持具２５が着脱自在に取り付けられている。この保持具２５は合成樹脂のモールド成形などによりブロック状に作られており、図９および図１０に示すように、前記ブラケット２１の基部端を受け入れる切欠２６および後述の垂直レールに嵌合保持させる係止片２７を一体に有する。
【００３２】
また、この保持具２５内には切欠２６に連通し、かつ係止片２７の一側面に設けられたガイド切欠２８に連通するガイド孔２９が設けられている。３０はガイド切欠２８に設けられたガイド片２２のガイド突条、３１はガイド切欠２８の端部近くに突設された嵌合突起で、この嵌合突起３１は前記ガイド片２２の嵌合切欠２４に嵌合可能なサイズ、形状とされている。３２ａ、３２ｂは保持具２５を水平方向に貫通し、前記切欠２６に連通するピン挿入孔である。
【００３３】
従って、前記ブラケット２１のガイド片２２を、保持具２５の切欠２６側からガイド孔２９内に通した後、その保持具２５からピン挿入孔３２ａおよびガイド片２２のガイド長孔２３内に、図１１に示すようなピン３３を挿通し、保持具２５の他側のピン挿入孔３２ｂにおいてピン３３端に止めねじ３６をねじ込むことで、ガイド片２２が保持具２５内に摺動自在に保持される。
【００３４】
なお、ピン３３は保持具２５の一側に係止する大径のあご部３３ｂを持つ頭部３３ａと、この頭部３３ａに連続し前記ピン挿入孔３２ｂに貫通する中軸部３３ｃと、ワッシャ３４およびコイルスプリング３５が嵌挿された細軸部３３ｄとからなり、この細軸部３３ｄ端に、ピン挿入孔３２ｂから挿入された、図１２に示すような止めねじ３６が所定量ねじ込まれている。これにより、コイルスプリング３５がガイド孔２９に対するガイド片２２の摺動抵抗を適度に保つように作用する。
【００３５】
また、ブラケット２１のガイド片２２をさらに深くガイド孔２９内に挿し込み操作すると、ガイド片２２の先端部はガイド孔２９を出てガイド切欠２８側へ案内され、そのガイド片２２に設けられた嵌合切欠２４が嵌合突起３１に嵌合することで、前記ガイド孔２９におけるガイド片２２の摺動がロックされ、ガイド片が保持具２５に対し一定の保持力で固定される。図１３はこの保持状態を示す。
【００３６】
前記係止片２７は、前記ガイド切欠２８がある側の反端側の先端に鉤状に突出するフック部３７を有し、このフック部３７の係合縁３７ａには先端部に丸味を持った一対の嵌合突起３８が、前記ガイド片２２側に向って突設されている。
【００３７】
図７および図１３において、３９および４０は組立式の左右二枚のパネル壁であり、これらが垂直方向に長い垂直レール４１を挟んで水平方向に並設されている。この垂直レール４１は開口部４４がパネル壁３９、４０の前方に向って開いており、この垂直レール４１の内の底部側壁には前記一対の嵌合突起３８間にあるフック部３７の係合縁３７ｃに嵌合可能なフック保持部４２が突設されている。４３はこのフック保持部４２の成形上の都合で設けられた透孔である。なお、フック保持部４２間は嵌合突起３８に嵌合する嵌合凹部（図示しない）となっている。
【００３８】
前記垂直レール４１の開口部は、係止片２７およびこれに摺接するガイド片２２を共に挿入できる幅を有し、係止片２７は前記フック部３７がフック保持部４２に所定の摩擦力にて嵌合保持可能な長さに設定されている。
【００３９】
このような商品陳列装置では、図９に示すような保持具２５の切欠２６およびガイド孔２９にブラケット２１のガイド片２２を挿し込んだ後、ピン挿入孔３２ａ、３２ｂとガイド片２２のガイド長孔２３とに、ピン３３を前記のように通してその先端に止めねじ３６をねじ込む。これによりガイド片２２が保持具２５に対して所定の摩擦抵抗にて、図７に示すように摺動自在に連結される。
【００４０】
次にこのようにガイド片２２を保持している保持具２５の係止片２７をフック部３７側から垂直レール４１の開口部４４内に、図７に示すように挿入する。開口部４４はフック部３７および係止片２７を自由に出し入れする幅を持つため、係止片２７は垂直方向および水平方向に変位自在であり、従って、フック部３７は前記フック保持部４２には嵌合しない。続いて、そのフック保持部４２にフック部３７が対応する垂直レール４１内の位置において、ブラケット２１を指操作することにより、係止片２７を開口部４１の開口壁面と平行となるように位置決めし、図７では矢印Ｐ方向に変位操作し、前記係止片２７に対しガイド片２２を垂直レール４１の開口部４４内に押し込むように摺動させる。これにより、ガイド片２２は係止片２７と前記開口部４４の内壁との間に簡単に入り込んで、遂には図１３に示すように、嵌合切欠２４が嵌合突起３１に嵌合する。
【００４１】
このような嵌合切欠２４と嵌合突起３１との嵌合状態にあっては、係止片２７およびガイド片２２の先端部が互いに重なり合って開口部４４内に密に嵌合し、水平方向にガタつくことはない。また、このとき前記フック部３７の嵌合突起３８間にある係合縁３７ａが垂直レール４１の底部側壁にあるフック保持部４２に密に嵌合する。この嵌合によって、ガイド片２２および係止片２７は垂直レール４１内にあって垂直方向にも動かなくなる。このため、ブラケット２１は図８に示すように垂直レール４１に対して水平に安定支持され、このブラケット２１上に棚板（図示しない）を安定に支承することができる。
【００４２】
なお、垂直レール４１からブラケット２１を取り外すには、図２に示す状態にあるガイド片２２を指によって係止片２７と垂直レール４１の開口壁面との間から外へ抜き操作すればよい。これにより係止片２７の水平方向の動きが自由となり、保持具２５の係止片２７を開口部から障害なく脱抜することができる。
【００４３】
なお、この実施の形態にあっても、図５について述べた場合と同様にして、連結部材１４、１７を介して同様のパネル壁３９、４０を前記同様の垂直レール４１を介して連結することで、ブラケット２１を背中合わせになった各パネル壁３９、４０から前後方向にそれぞれ突出させることができる。従って、これらのブラケット２１上に棚板を載せることで、各パネル壁３９、４０の前後方向に商品の展示を行うことができる。また、前記陳列支持部材を、前記棚板支持用のブラケット２１に代えて、例えば図６に示すような陳列用ハンガーとして用いることは任意である。
【００４４】
【発明の効果】
以上のように、本発明によれば、垂直片とこの垂直片の上方に傾斜片を一体に有する略Ｌ字状の係止板と、前記傾斜片の上端に上方向に突出するように設けられたフック部と、前記垂直片に連設された陳列物支持部材と、前記垂直片をガイドする垂直面を持つパネル壁に設けられて、前記垂直面の外に開口部が臨む水平レールとを設けて、該水平レール内に設けたフック保持部に、前記開口部から挿入された傾斜片上端のフック部を保持させるようにしたので、前記係止板の傾斜片およびフック部が水平レールの開口部およびフック保持部内にそれぞれ係止された状態では、陳列物支持部材に重量商品の荷重が掛かっても、あるいは何らかの人為的荷重が掛かっても、係止板自体の撓み変形や不安定な動きを阻止でき、商品などの陳列品を陳列物支持部材に安定に支持または載置できるという利点が得られる。
【００４５】
また、基部に所定幅のガイド片が設けられた陳列物支持部材と、一端に係止片を持ち、かつ前記ガイド片を摺動自在に支持する保持具と、前記係止片先端に連設されたフック部と、垂直面を持つパネル壁に設けられて、その垂直面の外に開口部が臨む垂直レールとを有し、該垂直レール内に設けられたフック保持部に、前記開口部から前記ガイド片の先端部とともに密に挿入される前記係止片のフック部を保持させるようにしたので、ブラケットなどの陳列物支持部材を垂直レールの開口部に対し容易に着脱できるとともに、装着した際には垂直レールに対し陳列物支持部材を水平および垂直方向にガタなく安定に支持でき、従って陳列支持部材の変形や垂直レールからのフリーな脱落を確実に防止できるという効果が得られる。
【００４６】
また、前記フック部の両端に前記開口部側に延びる嵌合突起を一体に設け、前記フック保持部に嵌合突起に嵌合する嵌合凹部を連設したことにより、左右一対の突起がそれぞれの嵌合凹部内に嵌まり込むため、水平レールに対する前記係止板の保持をさらに十分に安定化することができる。
【００４７】
さらに、前記パネル壁を背中合わせに二組用意し、各組の前記パネル壁を連結部材を介して互いに連結したので、各パネル壁から陳列物支持部材を突出させることで、左右の通路に向って商品などの陳列品の展示を行うことができる。
【００４８】
また、前記陳列支持部材を棚板支持用のブラケットとしたことで、このブラケット上に棚板を載せ、その上に陳列品を展示でき、さらに前記陳列支持部材を陳列用ハンガーとした場合には、陳列用ハンガーに陳列品を吊り下げて展示できるという効果が得られる。
【図面の簡単な説明】
【図１】本発明の実施の一形態による商品陳列装置を一部切断して示す側面図である。
【図２】図１におけるＸ−Ｘ線断面図である。
【図３】図１における棚板支持用のブラケットを一部破断して示す平面図である。
【図４】図１における水平レールを一部破断して示す平面図である。
【図５】本発明におけるパネル壁の他の構成例を示す断面図である。
【図６】本発明における陳列用ハンガーを示す側面図である。
【図７】本発明の実施の他の形態による商品陳列装置の一部を破断して示す側面図である。
【図８】図７における垂直レールに対するブラケットの取付状態を一部破断して示す側面図である。
【図９】図７に示す保持具の斜視図である。
【図１０】図９に示す保持具の背面斜視図である。
【図１１】図７に示すピンの斜視図である。
【図１２】図１１に示すピンにねじ込む止めねじの斜視図である。
【図１３】図７におけるガイド片の作動状態を示す断面図である。
【符号の説明】
１、２１　ブラケット（陳列物支持部材）
４　係止板
４ａ　垂直片
４ｂ　傾斜片
５、３７　フック部
６、３８　嵌合突起
７、７ａ、７ｂ、８、８ａ、８ｂ、３８、４０　パネル壁
９　水平レール
１０、４４　開口部
１１、４２　フック保持部
１２　嵌合凹部
１４、１７　連結部材
１８　吊り棒（陳列物支持部材）
４１垂直レール
【図１】
2004057325.tif 000003
【図２】
2004057325.tif 000004
【図３】
2004057325.tif 000005
【図４】
2004057325.tif 000006
【図５】
2004057325.tif 000007
【図６】
2004057325.tif 000008
【図７】
2004057325.tif 000009
【図８】
2004057325.tif 000010
【図９】
2004057325.tif 000011
【図１０】
2004057325.tif 000012
【図１１】
2004057325.tif 000013
【図１２】
2004057325.tif 000014
【図１３】
2004057325.tif 000015